(57)【要約】【課題】地球温暖化を防ぐため、京都議定書が作られ、二酸化炭素などの温室効果ガスの排出削減を義務付けられている。いかにして温暖化を最小限に抑えることができるかが全世界の課題である。【解決手段】本案は小さなエネルギーで大きなエネルギーを発生させ、石油等資源に乏しい我国に限らず、自然エネルギーを利用するので、動力資源となる燃料は全く不要で、無煙、無臭地球上どこにでも小さな設備で施設することができ、雨天風・気候・季節に関係なく年中、日夜を問わず稼動させることができ、自然環境に優しく新しいエネルギーの開発である。【選択図】図１０
2011094607.tif 000002
【特許請求の範囲】
【請求項１】
眞空を作りだすには、トリチエリの実験を応用し、試験管を根元より立てたり横に倒したりしないで、試験管の中の液体が入っている管と眞空となる管の堺を基準とし下部と上部に二つに分け、上部の管をＬ字型して下部の管に差し込み、差し込んだ管を回転させることにより、断続的に眞空を発生させることができる。
【請求項２】
眞空室とは別に離したところにエンジン室を設け眞空室とエンジン室を同じ液体の入っている管でつないで、ピストンを液体の中に設け眞空室を回転させるとピストンが流体の移動により大気圧が液体を押し、エネルギーが発生させる動力装置。
【請求項３】
特許項２の装置を使って、電気エネルギーを起こすこと。
【発明の詳細な説明】
【技能分野】
【０００１】本発明は自然エネルギーの開発で、トリチエリの実験と、ゲーリケのマグデブルの半球の実験の二つを組合せ応用して、新しい動力エネルギーを発生させる装置である。
【０００２】この二つの実験は、この世の中に眞空と言うものが存在することと、眞空には大気圧の大きなエネルギーが存在することの実証だけで今日までエネルギーとして生み出すことはなかったが、本発明はその自然エネルギーを生み出すことができる。
【背景技能】
【０００３】一般的に液体を使って眞空を断続的に発生させるのには、原理から言って眞空室に直接ピストンを押して、エネルギーを発生させることが、物理的に言って可能に思われるがいずれもこの工法では構造上、エネルギーは発生させることは出来ないと思料される。
【０００４】なぜなら眞空に直接ピストンを設けた工法はピストンは動かない。眞空とは密閉することで密閉されていることは吸い付いてピストンは動かない状態となる。
尚、ピストンが動くということは、ピストンの隙間に空気が入っているので動くので、空気が入ることは眞空でないことになる。
【０００５】眞空を利用し大気圧のエネルギーを発生させるには、眞空室とエンジン室を別々に作り双方の室を同じ液体が入っている管でつなぎ、ピストンを液体の中に設けることで眞空室を回転させると液体の流体起こり、大気圧がピストンを押しエネルギーを発生させることができる。今までの工法とはまったく違った構造である。
【先行技術文献】
【０００６】
【特許文献１】特開２００８−０３８８８３
【特許文献２】特開２００５−０９８７２６
【特許文献３】特開平０８−１５９００７
【発明の概要】
【発明が解決しようとする課題】
【０００７】地球温暖化が進み問題視されている現在、石油の使用により地球全体が汚され悪影響を及ぼしており、最大の課題は二酸化炭素（ＣＯ２）の削減である。【０００８】新しい公害のない、自然エネルギーの開発が急務である。
【課題を解決するための手段】
【０００９】眞空を作りだすには、トリチエリの実験を応用し、試験管を根元より立てたり横に倒したりしないで、試験管の中の液体が入っている管と眞空となる管の堺を基準とし下部と上部に二つに分け、上部の管をＬ字型して下部の管に差し込み、差し込んだ管を回転させることにより、断続的に眞空を発生させることができる。【００１０】眞空室とは別に離したところにエンジン室を設け眞空室とエンジン室を同じ液体の入っている管でつないで、ピストンを液体の中に設け眞空室を回転させるとピストンが流体の移動により大気圧が液体を押し、エネルギーが発生させる動力装置。【００１１】〔００１０〕の装置を使って、電気エネルギーを起こすこと。
【発明の効果】
【００１２】本案は眞空に対し気圧を利用し、そのエネルギーを作り出すことであるが、トリチエリの眞空実験以来、未だ４００年間もエネルギーの発生を生み出すことが出来なかった。
しかし本発明はその自然エネルギーを作り出すことができ、動力源として活用することに期待が大きい。【００１３】又、眞空に対するエネルギーは「ゲーリケ（１６０２〜８６）のマグデブルクの半球の実験」にも示されている通り小さな直径４０ｃｍ．の半球を二つ合わせ中を眞空にした場合、５トンの大きな大気圧のエネルギーがあり本発明の自然エネルギーの活用効果は大である。
【図面の簡単な説明】
【００１４】
【図１】トリチエリの実験の略図
【図２】トリチエリの試験管の上部を改良した図
【図３】図２の（１）と（２）を組み合わせた図
【図４】試験管を改良し下部にコックを取り付け、上部にキャップを取り付けた略図
【図５】水槽と試験管に液体を入れた図
【図６】試験管に満水にしてキャップを締めた図
【図７】改良した試験管にモーターを取り付けた図
【図８】眞空室を回転させるのに多少とも軽くする為の水槽の略図
【図９】試験管にエンジン（ピストン）を取り付けた略図
【図１０】本案全体の断面図
【発明を実施するための形態】
【００１５】最初に眞空を作るには「トリチエリの実験」を引用し液体を用いて眞空を作ることになるが、まず試験管を横に倒し試験管の中に空気が入らないようにして液体を入れ、試験管を立てると水の場合約１０米の高さまでは液体が上るが、それ以上は眞空となる。
【００１６】従って、１０米の長さの細い管を立てたり横に倒したり繰り返し断続的に眞空を作ることは、あまりにも非合理的であり本発明はそれを解消し、簡単に断続的に眞空を作り出すことができる。
【００１７】それは図１に示すようにトリチエリの実験図であるが、立った試験管を液体の入っている管１と眞空となる管２の分岐点の番号３を堺とし二つに分け、図２に示すような眞空となる管２をＬ字型にして図２の（１）の管に差し込み、差し込んだＬ字管は回転するようにする。回転させることによって断続的に眞空ができる。
【００１８】然し初めに管の中に液体のみを入れるのには容易でなく、本発明は立てたままで簡単な方法で眞空を作り出すことができる。
【００１９】その方法は図４の試験管の下部に番号７のコックを取り付け、コックを閉じて水槽に液体を入れる。次に上部のキャップ番号８より液体を注ぐと図５になり、試験管の中を満水にしキャップ番号８を閉じて、コック番号７を開けると図６のようになり一度だけ操作すれば完全に試験管の中は液体で埋まる。
【００２０】次に図６の点線内の（Ａ）の眞空となる番号２のＬ型管を回転させるために、外力のエネルギーが必要で図７の番号９のモーターを取り付ける。又、図７の液体の入っている眞空となる容器を多少なりとも軽く回転させるため、図８の（１）の水槽を作り図８の（２）のような位置に取り付ける。
【００２１】以上の説明だけでは簡単に眞空を作りだことのみでエネルギーは発生しない。
【００２２】続いてエネルギーを発生させるには、図９に示すように試験管の下部をＵ字型にしＵ字型の片方の立ち上がる部分に同図の点線内の（Ｂ）のエンジンのピストンを取り付ける。液体の流体によりピストンが上下運動し、大気圧が眞空を押し気圧のエネルギーが発生する。
【００２３】いずれの先行技術は精巧に作られているも、原理は下記図のように眞空室とエンジン室を一体とし回転させ、眞空室に直接ピストンを取り付け大気圧でピストンを押しエネルギーを発生させる装置であるが、これは先に述べていた通りこの工法ではエネルギーを発生させることはできない。
2011094607.tif 000003
【実施例】
【００２４】本案は眞空室とエンジン室とは別々に造り、下記図のように双方の室を同じ液体でつないでエネルギーを発生させているので、最終目的は眞空エンジンを作ることで〔００２３〕の構造とは全く違うので「眞空エンジン」の文言、表現で同一、類似とはならないと思料される。
2011094607.tif 000004
【産業上の利用可能性】
【００２５】本案は最初は小さな力が必要であるが、エネルギーの利用は大きく、最大の利点は、▲１▼エネルギーは大気圧であり、無尽蔵にあること。▲２▼燃料等の物質は不要であること。▲３▼機械設置はどこにでも設けることができる。▲４▼液体が水銀の場合は高さが約１ｍ．もあれば小型の動力機として利用できる。▲５▼季節、天候等に関係なく一日２４時間エネルギーを発生させることができ、産業上の活用は大きい。
【符号の説明】
【００２６】  １．試験管（１）
２．試験管（２）
３．液体と眞空とに分かれる分岐点
４．眞空
５．水槽（１）
６．液体
７．コック（栓）
８．キャップ
９．外力のモーター
１０．水槽（２）
１１．ピストン
１２．エンジン（クランク）
【図１】
2011094607.tif 000005
【図２】
2011094607.tif 000006
【図３】
2011094607.tif 000007
【図４】
2011094607.tif 000008
【図５】
2011094607.tif 000009
【図６】
2011094607.tif 000010
【図７】
2011094607.tif 000011
【図８】
2011094607.tif 000012
【図９】
2011094607.tif 000013
【図１０】
2011094607.tif 000014